(57)【要約】【課題】医用システムにおけるメンテナンス装置やメンテナンスプログラムに関する面倒な事前の準備を必要とせずに、医用装置のメンテナンスを実行する。【解決手段】制御プログラムにより所定の機能を発揮する医用装置と、前記医用装置と接続された状態で前記メンテナンスプログラムにより前記機能に関するメンテナンスを実行するメンテナンス装置と、を有する医用システムであって、前記医用装置は、前記制御プログラムを前記記憶部に記憶すると共に、前記制御プログラムに対応する前記メンテナンスプログラムを前記メンテナンス装置が取得可能な状態で前記記憶部に記憶しておき、前記メンテナンス装置は、前記医用装置をメンテナンスするために前記医用装置と接続された際に、必要に応じて前記医用装置から前記メンテナンスプログラムを取得してメンテナンスを実行する。【選択図】図１
2007117330.tif 000002
【特許請求の範囲】
【請求項１】
制御プログラムを記憶部に記憶し、この制御プログラムにより所定の機能を発揮する医用装置と、
前記制御プログラムに対応したメンテナンスプログラムを記憶部に記憶し、前記医用装置と接続可能に構成され、前記医用装置と接続された状態で前記メンテナンスプログラムにより前記機能に関するメンテナンスを実行するメンテナンス装置と、
を有する医用システムであって、
前記医用装置は、前記制御プログラムを前記記憶部に記憶すると共に、前記制御プログラムに対応する前記メンテナンスプログラムを前記メンテナンス装置が取得可能な状態で前記記憶部に記憶しておき、
前記メンテナンス装置は、前記医用装置をメンテナンスするために前記医用装置と接続された際に、必要に応じて前記医用装置から前記メンテナンスプログラムを取得してメンテナンスを実行する、
ことを特徴とする医用システム。
【請求項２】
前記医用装置は、不揮発性であって書き換え可能な記憶部を備える、
ことを特徴とする請求項１記載の医用システム。
【請求項３】
前記医用装置は、ネットワークにアクセスする機能を有すると共にネットワークに接続されており、ネットワーク経由で前記制御プログラムと前記メンテナンスプログラムとを得て前記記憶部に記憶しておく、
ことを特徴とする請求項２記載の医用システム。
【請求項４】
前記医用装置は、通常の動作のためおよび前記制御プログラムと前記メンテナンスプログラムとを得るためにネットワークと接続される第１接続ポートと、前記メンテナンス装置と接続されるための第２接続ポートと、を有する、
ことを特徴とする請求項３記載の医用システム。
【発明の詳細な説明】
【技術分野】
【０００１】
本発明は医用システムに関し、さらに詳しくは、制御プログラムにより所定の機能を発揮する医用装置と、前記制御プログラムに対応したメンテナンスプログラムにより医用装置のメンテナンスを実行するメンテナンス装置とを有する医用システムに関する。
【背景技術】
【０００２】
従来、レーザイメージャやＣＲ読取装置等の医用装置は、病院などの設置されている場所での稼動状態（濃度・階調特性や、フィルムやプレート等の搬送性）を維持する必要がある。
【０００３】
この場合、医用装置に設置されている表示パネルは最低限の小さなものであるため、複雑な表示ができず、階調特性の調整や搬送系の制御定数の調整等を行うことはできないものであった。
【０００４】
このため、当該医用装置のメンテナンス担当者が、メンテナンス用のコンピュータ（以下、メンテナンスＰＣ）を医用装置に接続して、ユーザの好みの階調特性への調整や搬送系の制御定数の調整等を行うことが広く行われている。
【０００５】
なお、本願明細書において、各種医用装置と、この医用装置に対してメンテナンスを実行するメンテナンスＰＣ（あるいはメンテナンス装置）とをあわせて、医用システムと呼ぶことにする。
【０００６】
このようなメンテナンスＰＣを使用する医用システムにおいては、医用装置本体に内蔵された制御プログラムと、当該制御プログラムに対応するバージョンのメンテナンス用ＰＣのプログラム（メンテナンスプログラム）を準備することが必要である。
【０００７】
なお、以下の特許文献に類似する技術に関する記載がなされている。
【特許文献１】特開昭６３―２７１６０号公報、（第１頁、図１）
【特許文献２】特開平６―２１４９２９号公報、（第１頁、図１）
【特許文献３】特開平１１―３０６０００号公報、（第１頁、図１）
【特許文献４】特許第３６４２２２１号公報、（第１頁、図１）
【特許文献５】特開昭６２―１１５４７３号公報、（第１頁、図１）
【発明の開示】
【発明が解決しようとする課題】
【０００８】
上記特許文献１記載のものは、センター〜リモート装置で、センター側から自己診断用（メンテナンス用）プログラムをダウンロードするシステムである。したがって、上述した医用システムにそのまま適用することはできない。
【０００９】
上記特許文献２記載のものは、ネットワーク上のマスターからスレーブへプログラムをダウンロードする方式である。したがって、上述した医用システムにそのまま適用することはできない。
【００１０】
上記特許文献３記載のものは、アプリケーションサーバ方式である。したがって、上述した医用システムにそのまま適用することはできない。
上記特許文献４記載のものは、入力装置からIF装置にダウンロードするものであり、端末プリンター交換時の作業容易性を目指したもので、ネットワークからダウンロードしなくても良く、各拠点のサービス担当のPCにダウンロードするものである。したがって、上述した医用システムにそのまま適用することはできない。
【００１１】
上記特許文献５記載のものは、IF装置（メンテナンスＰＣ）を介して情報吸上げ、センター側へ送信するものである。したがって、上述した医用システムにそのまま適用することはできない。
【００１２】
ところで、以上の背景技術で説明したようなメンテナンスＰＣを使用する医用システムにおいては、メンテナンス用ＰＣのプログラム（メンテナンスプログラム）を準備する際には、医用装置本体に内蔵された制御プログラムと当該制御プログラムとで、互いにバージョンをそろえておく必要がある。
【００１３】
この場合、医用装置の製造メーカーあるいは医用装置の制御プログラムの担当企業は、新機種発売や医用装置本体側のソフト変更（バージョンアップ）を行う毎に、メンテナンスプログラムのバージョンアップの為、全国あるいは全世界のサービス拠点に、当該メンテナンスプログラムコピー用にＣＤ−Ｒを配布したり、WWW上のメンテナンスＰＣ用サーバを設け、メンテナンスプログラム最新版をアップロードするシステムを立上げる必要があり、時間・費用のかかる事前準備が必要であった。
【００１４】
また、メンテナンス担当者が、メンテナンスＰＣへの事前アップロードを忘れると、現地到着してもメンテナンス実行できなかったり、或いは、WWW経由のダウンロードはかなりの時間を要し、メンテナンス開始時間が遅れるという場合もあった。
【００１５】
近年の医療用機器に於いて、装置本体側はフラシュROM等でネットワーク経由で最新版のソフトウエアをダウンロード可能に構成されているケースが多く、バージョン不一致が発生し易く、しかも現地で気づくケースが増える傾向にある。
【００１６】
本発明は、上記不具合を解消するためになされたものであって、医用システムにおけるメンテナンス装置やメンテナンスプログラムに関する面倒な事前の準備を必要とせずに、医用装置のメンテナンスを実行することが可能な医用システムを提供することを目的とする。
【課題を解決するための手段】
【００１７】
すなわち、前記した課題を解決は、以下に列記する発明により解決される。
（１）請求項１記載の発明は、制御プログラムを記憶部に記憶し、この制御プログラムにより所定の機能を発揮する医用装置と、前記制御プログラムに対応したメンテナンスプログラムを記憶部に記憶し、前記医用装置と接続可能に構成され、前記医用装置と接続された状態で前記メンテナンスプログラムにより前記機能に関するメンテナンスを実行するメンテナンス装置と、を有する医用システムであって、前記医用装置は、前記制御プログラムを前記記憶部に記憶すると共に、前記制御プログラムに対応する前記メンテナンスプログラムを前記メンテナンス装置が取得可能な状態で前記記憶部に記憶しておき、前記メンテナンス装置は、前記医用装置をメンテナンスするために前記医用装置と接続された際に、必要に応じて前記医用装置から前記メンテナンスプログラムを取得してメンテナンスを実行する、ことを特徴とする医用システムである。
【００１８】
（２）請求項２記載の発明は、前記医用装置は、不揮発性であって書き換え可能な記憶部を備える、ことを特徴とする請求項１記載の医用システムである。
（３）請求項３記載の発明は、前記医用装置は、ネットワークにアクセスする機能を有すると共にネットワークに接続されており、ネットワーク経由で前記制御プログラムと前記メンテナンスプログラムとを得て前記記憶部に記憶しておく、ことを特徴とする請求項２記載の医用システムである。
【００１９】
（４）請求項４記載の発明は、前記医用装置は、通常の動作のためおよび前記制御プログラムと前記メンテナンスプログラムとを得るためにネットワークと接続される第１接続ポートと、前記メンテナンス装置と接続されるための第２接続ポートと、を有する、ことを特徴とする請求項３記載の医用システムである。
【発明の効果】
【００２０】
以上、説明したように、本発明によれば、以下のような効果が得られる。
（１）請求項１記載の発明において、医用装置側では、該医用装置用の制御プログラムを記憶部に記憶すると共に、制御プログラムに対応するバージョンのメンテナンス装置用のメンテナンスプログラムを、メンテナンス装置が取得可能な状態で記憶部に記憶しておく。
【００２１】
そして、メンテナンス装置は、医用装置をメンテナンスするために医用装置と接続された際に、必要に応じて医用装置からメンテナンスプログラムをダウンロードするなどして取得したうえで、メンテナンスを実行する。
【００２２】
この結果、医用システムにおけるメンテナンス装置やメンテナンスプログラムに関する面倒な事前の準備を必要とせずに、医用装置のメンテナンスを確実にかつ簡易な手順で短時間に実行することが可能になる。
【００２３】
（２）請求項２記載の発明では、医用装置は、不揮発性であって書き換え可能な記憶部に、該医用装置用の制御プログラムを記憶部に記憶すると共に、制御プログラムに対応するバージョンのメンテナンス装置用のメンテナンスプログラムを、メンテナンス装置が取得可能な状態で記憶部に記憶しておく。
【００２４】
このため、制御プログラムに対応するバージョンのメンテナンスプログラムを、メンテナンス装置が取得するときまで確実に蓄積しておくことが可能になり、医用システムにおけるメンテナンス装置やメンテナンスプログラムに関する面倒な事前の準備を必要とせずに、医用装置のメンテナンスを確実にかつ簡易な手順で短時間に実行することが可能になる。
【００２５】
（３）請求項３記載の発明で、医用装置は、ネットワーク経由で制御プログラムとメンテナンスプログラムとを得て、記憶部に記憶しておく。
このため、最新の制御プログラムに対応するバージョンの最新のメンテナンスプログラムを、メンテナンス装置が取得するときまで蓄積しておくことが可能になり、医用システムにおけるメンテナンス装置やメンテナンスプログラムに関する面倒な事前の準備を必要とせずに、医用装置のメンテナンスを確実にかつ簡易な手順で短時間に実行することが可能になる。
【００２６】
（４）請求項４記載の発明では、医用装置は、通常の動作のためおよび制御プログラムとメンテナンスプログラムとを得るためにネットワークと接続される第１接続ポートと、メンテナンス装置と接続されるための第２接続ポートと、別に有する。
【００２７】
ここで、医用装置は、第２接続ポートを介してメンテナンス装置と接続されてメンテナンスを実行中であっても、可能な限り、第１接続ポートを介してネットワーク経由で通常の処理を続行可能な状態になっている。
【００２８】
そして、医用装置をメンテナンスするために第２接続ポートを介してメンテナンス装置が医用装置に接続された際に、医用装置の第２接続ポート経由でメンテナンスプログラムがメンテナンス装置に伝送される。このため、医用装置は、第１接続ポートを介したネットワークとの通信に何ら支障を生じないため、他の装置からの医用画像データや各種コマンドの受信などを続行することが可能な状態を保つことができる。
【００２９】
また、医用装置が第１接続ポートを介してネットワークと接続されたままであるため、他の装置から画像データやコマンドを医用装置に対して送信する際にも何ら悪影響を与えることがない。また、ネットワークに対する切断や再接続も生じないため、ネットワークに対しても何ら影響を与えることがない。
【００３０】
この結果、医用システムにおけるメンテナンス装置やメンテナンスプログラムに関する面倒な事前の準備を必要とせずに、また、他の装置に悪影響を与えることなく、医用装置のメンテナンスを確実にかつ簡易な手順で短時間に実行することが可能になる。
【発明を実施するための最良の形態】
【００３１】
以下、図面を参照して本発明の実施をするための最良の形態を詳細に説明する。
本発明の実施をするための最良の形態の医用システムの好適な実施の形態について説明する。なお、これにより本発明が限定されるものではない。
【００３２】
〈第１の実施形態〉
全体構成：
１０は病院内ネットワークであり、ホストコンピュータ２０と、医用撮影装置３０、医用撮影装置４０、医用装置としてのレーザイメージャ１００が接続されている。なお、更に多くの撮影装置や、読み取り装置などが接続されていてもよい。なお、ホストコンピュータ２０を介して、インターネットなどの外部のネットワークに接続可能に構成されている。
【００３３】
また、レーザイメージャ１００は請求項における医用装置を構成している。また、レーザイメージャ１００に対して、コンピュータなどのメンテナンス装置２００が接続可能に構成されている。
【００３４】
ここで、レーザイメージャ１００は、各部を制御する制御部１０１と、病院内ネットワーク１０を介して通信するための第１接続ポートとしてのＩ／Ｆ１０２と、メンテナンス装置２００と通信するための第２接続ポートとしてのＩ／Ｆ１０４と、各種操作の入力がなされる操作部１１０と、各種表示を行う表示部１２０と、各種データの記憶を行う記憶部１３０と、レーザイメージャとしての各種機能を実行する医用機能部１４０と、を備えて構成されている。
【００３５】
なお、記憶部１３０は、画像データの記憶領域、レーザイメージャとして所定の機能を発揮するための制御プログラムの記憶領域、制御プログラムに対応するメンテナンスプログラムの記憶領域、を有して、それぞれ適した領域に記憶する。また、医用装置１００は、記憶部１３０内のメンテナンスプログラムに関して、メンテナンス装置２００が取得可能な状態で記憶部１３０に記憶しておく。
【００３６】
なお、医用装置１００は、不揮発性であって書き換え可能な記憶部１３０に、該医用装置用の制御プログラムを記憶部に記憶すると共に、制御プログラムに対応するバージョンのメンテナンス装置用のメンテナンスプログラムを、メンテナンス装置２００が取得可能な状態で記憶部に記憶しておく。
【００３７】
ここで、レーザイメージャ１００は、レーザイメージャとして所定の機能を発揮するための制御プログラムを記憶部１３０に記憶し、この制御プログラムにより医用機能部１４０が所定の機能を発揮する。
【００３８】
また、メンテナンス装置２００は、各部を制御する制御部２０１と、医用装置１００と通信するためのＩ／Ｆ２０２と、各種操作の入力がなされる操作部２１０と、各種表示を行う表示部２２０と、各種データの記憶を行う記憶部２３０と、を備えて構成されている。
【００３９】
なお、このメンテナンス装置２００は、ノートＰＣなどのコンピュータであり、制御プログラムに対応したバージョンのメンテナンスプログラムを記憶部２３０に記憶し、医用装置１００と接続可能に構成され、医用装置１００とされた状態でメンテナンスプログラムにより医用装置１００のメンテナンスを実行する。
【００４０】
以下、本実施形態の医用システム１００とメンテナンス装置２００とからなる医用システムについての動作（処理）状態について、図２のフローチャートも参照しつつ説明を行う。
【００４１】
まず、医用装置１００にてメインの制御プログラムを起動する（図２Ｓ１０１）。医用装置１００は、この制御プログラムにより、医用機能部１４０が所定の機能を発揮する。
なお、この制御プログラムにより、医用装置１００は所定の時期あるいは所定の通知を受けた場合に、医用装置１００の最新版制御プログラムと、メンテナンス装置２００のメンテナンスプログラムとを図示されていないサーバなどからダウンロードしておく。なお、図示されないＲＯＭ（Read Only Memory）を交換することによって医用装置１００にこれらプログラムをインストールする型式であっても、本実施形態を適用可能であることは言うまでも無い。
【００４２】
すなわち、実行中の制御プログラムに対応したメンテナンスプログラムをも、メンテナンス装置２００が取得可能な状態で記憶部１２０に記憶しておく。また、この制御プログラムにより、メンテナンス装置２００からの何らかのアクセスがあった場合には、後述するような所定の反応をする。
【００４３】
また、メンテナンス実行時に、メンテナンス装置２００を医用装置１００と接続ケーブルにより接続したうえで、メンテナンス装置２００の接続プログラムを起動する（図２Ｓ２０１）。この接続プログラムはメンテナンスプログラムの初期実行モジュールであってもよいし、メンテナンスプログラムとは独立した接続機能のみの接続プログラムであってもよい。
【００４４】
すなわち、メンテナンス装置２００には、メンテナンスプログラムの初期実行モジュールあるいは独立したプログラムである接続プログラムと、その後に実行されてメンテナンス作業を実行するためのメンテナンスプログラムとが、記憶部２２０に記憶されている。なお、この実施形態では、最低でも、接続プログラムが記憶部２２０に記憶されていればよい。
【００４５】
なお、メンテナンス装置２００の表示部２２０には図３（ａ）に示すアイコンが表示されており、メンテナンス装置２００を操作するサービスマンなどがアイコンをクリックすることで接続プログラムが起動する。
【００４６】
また、接続プログラムが起動すると、メンテナンス装置２００の表示部２２０には、図３（ｂ）のＩＰアドレス入力画面が表示される。そこで、メンテナンス装置２００を操作するサービスマンが医用装置１００のＩＰアドレスを入力する。
【００４７】
ここで、メンテナンス装置２００は、指定されたＩＰアドレスの医用装置１００に対して所定のプロトコルに従って接続要求を送出する（図２Ｓ２０２）。なお、ここで示したＩＰアドレスなどは一例であり、メンテナンス装置２００から医用装置１００を特定できる機種名やＩＤ番号などであってもよい。
【００４８】
接続要求を受けた医用装置１００は、メンテナンス装置２００からの接続要求が正当なものであると認識できれば、メンテナンス装置２００に対して接続許可を発行する（図２Ｓ１０２）。これにより、医用装置１００とメンテナンス装置２００との間にハンドシェークが成立し、通信が確立する（図２Ｓ２０３）。
【００４９】
ここで、メンテナンス装置２００は接続プログラムの判定ルーチンにより、メンテナンスプログラムが存在しているかを判定する（図２Ｓ２０４）。メンテナンスプログラムが存在していれば（図２Ｓ２０４でＹ）、メンテナンス装置２００に記憶されているメンテナンスプログラムと、医用装置１００に記憶されている制御プログラムとのバージョンが対応関係にあるか、医用装置１００に問い合わせる（図２Ｓ２０５、Ｓ１０３）。この場合、バージョン番号が完全に一致しているか否かではなく、両方のバージョンが動作可能な対応関係にあるかで判断を行う。
【００５０】
医用装置１００の制御プログラムとメンテナンス装置２００のメンテナンスプログラムとのバージョンが対応関係に無い場合（図２Ｓ２０５でＹ）、あるいは、メンテナンスプログラムが存在していなければ（図２Ｓ２０４でＮ）、メンテナンス装置２００は医用装置１００に対して、メンテナンスプログラムの取得要求を送出する（図２Ｓ２０６）。
【００５１】
一方、メンテナンスプログラムの取得要求を受信した医用装置１００は（図２Ｓ１０４でＹ）、記憶部１２０に記憶して保存してあるメンテナンスプログラムを、メンテナンス装置２００に対して送信する（図２Ｓ１０５）。
【００５２】
そして、このように医用装置１００から送信されるメンテナンスプログラムをメンテナンス装置２００が受信し（図２Ｓ２０７）、記憶部２２０の所定の領域にに記憶し、格納する。
【００５３】
ここで、メンテナンス装置２００は、メンテナンスプログラムの受信が完了した時点でメンテナンスプログラムを自動実行し、メンテナンスプログラムのインストールを開始する（図２Ｓ２０８）。
【００５４】
メンテナンスプログラムのインストールが完了した時点で、メンテナンス装置２００は、インストールされたメンテナンスプログラムにより医用装置１００と通信を開始する（図２Ｓ２０９）。この場合も、上述したと同様な接続要求・接続許可、バージョン確認などを実行してもよい。このメンテナンス装置２００からのメンテナンスプログラムによる通信に応じて、医用装置１００側はメンテナンスモードで通信を開始する（図２Ｓ１０６）。この医用装置１００からのメンテナンスモードによる通信に応じて、メンテナンス装置２００もメンテナンスモードの通信を開始する（図２Ｓ２１０）。
【００５５】
そして、このようにメンテナンスモードの通信が確率した後、メンテナンス装置２００は、医用装置１００に対してメンテナンスを実行するメンテナンス作業を開始する（図２Ｓ２１１、Ｓ１０７）。
【００５６】
このメンテナンス装置２００からの医用装置１００に対するメンテナンス作業としては、たとえば、ユーザの好みの階調特性への調整や搬送系の制御定数の調整等が含まれる。メンテナンス装置２００からの医用装置１００に対するメンテナンス作業が階調特性の調整である場合には、たとえば、図４のようなメンテナンスプログラムによる作業画面がメンテナンス装置２００の表示部２２０に表示され、画面のチャート（下半分左右）を見比べながら、マウスなどのポインティングデバイスの操作によって、画面の特性曲線（上部中央）を直接操作する。あるいは、特性の数値（上部右）を入力することで、同様にして特性曲線を変更する。この場合、変更前後のテストチャートを表示画面上で比較しつつ、所望の状態の階調特性への調整が可能になる。
【００５７】
このように、メンテナンス装置２００の大きな表示画面を参照しつつ、特性曲線などを細かく調整することが可能になる。また、搬送系の制御定数などの場合も、同様に、メンテナンス装置２００の大きな表示画面を参照しつつ、各種定数を細かく調整することが可能になる。
【００５８】
以上詳細に説明したように、本実施形態により得られる効果を列記すると以下のようになる。
（１）医用装置１００側では、該医用装置１００用の制御プログラムを記憶部１２０に記憶すると共に、制御プログラムに対応するバージョンのメンテナンス装置２００用のメンテナンスプログラムを、メンテナンス装置２００が取得可能な状態で記憶部１２０に記憶しておいて、メンテナンス装置２００は、医用装置１００をメンテナンスするために医用装置１００と接続された際に、必要に応じて医用装置１００からメンテナンスプログラムをダウンロードするなどして取得したうえで、メンテナンスを実行する。この結果、医用システムにおけるメンテナンス装置２００やメンテナンスプログラムに関する面倒な事前の準備を必要とせずに、医用装置１００のメンテナンスを確実にかつ簡易な手順で短時間に実行することが可能になる。
【００５９】
（２）医用装置１００は、不揮発性であって書き換え可能な記憶部１２０に、該医用装置１００用の制御プログラムを記憶部に記憶すると共に、制御プログラムに対応するバージョンのメンテナンス装置２００用のメンテナンスプログラムを、メンテナンス装置２００が取得可能な状態で記憶部に記憶しておくことで、制御プログラムに対応するバージョンのメンテナンスプログラムを、メンテナンス装置２００が取得するときまで確実に蓄積しておくことが可能になり、医用システムにおけるメンテナンス装置２００やメンテナンスプログラムに関する面倒な事前の準備を必要とせずに、医用装置１００のメンテナンスを確実にかつ簡易な手順で短時間に実行することが可能になる。
【００６０】
（３）医用装置１００は、ネットワーク経由で制御プログラムとメンテナンスプログラムとを得て、記憶部１２０に記憶しておくため、最新の制御プログラムに対応するバージョンの最新のメンテナンスプログラムを、メンテナンス装置２００が取得するときまで蓄積しておくことが可能になり、医用システムにおけるメンテナンス装置２００やメンテナンスプログラムに関する面倒な事前の準備を必要とせずに、医用装置１００のメンテナンスを確実にかつ簡易な手順で短時間に実行することが可能になる。
【００６１】
（４）医用装置１００は、通常の動作のためおよび制御プログラムとメンテナンスプログラムとを得るためにネットワークと接続される第１接続ポート１０２と、メンテナンス装置２００と接続されるための第２接続ポート１０４とを別に有するため、医用装置１００は、第２接続ポート１０４を介してメンテナンス装置２００と接続されてメンテナンスを実行中であっても、可能な限り、第１接続ポート１０２を介してネットワーク経由で通常の処理を続行可能な状態になっている。そして、医用装置１００をメンテナンスするために第２接続ポート１０４を介してメンテナンス装置２００が医用装置１００に接続された際に、医用装置１００の第２接続ポート１０４経由でメンテナンスプログラムがメンテナンス装置２００に伝送される。このため、医用装置１００は、第１接続ポート１０２を介したネットワークとの通信に何ら支障を生じないため、他の装置からの医用画像データや各種コマンドの受信などを続行することが可能な状態を保つことができる。
【００６２】
（５）また、医用装置１００が第１接続ポート１０２を介してネットワークと接続されたままであるため、他の装置から画像データやコマンドを医用装置１００に対して送信する際にも何ら悪影響を与えることがない。また、ネットワークに対する切断や再接続も生じないため、ネットワークに対しても何ら影響を与えることがない。この結果、医用システムにおけるメンテナンス装置２００やメンテナンスプログラムに関する面倒な事前の準備を必要とせずに、また、他の装置に悪影響を与えることなく、医用装置１００のメンテナンスを確実にかつ簡易な手順で短時間に実行することが可能になる。
【図面の簡単な説明】
【００６３】
【図１】本発明の実施形態の全体構成あるいは全体処理の流れを示すブロック図である。
【図２】本発明の実施形態における処理例を示すフローチャートである。
【図３】本発明の実施形態におけるメンテナンス装置での表示画面の様子を説明する説明図である。
【図４】本発明の実施形態におけるメンテナンス装置での表示画面の様子を説明する説明図である。
【符号の説明】
【００６４】
１００  医用装置
１０１  制御部
１０２  Ｉ／Ｆ
１０４  Ｉ／Ｆ
１１０  操作部
１２０  表示部
１３０  記憶部
１４０  医用機能部
２００  メンテナンス装置
２０１  制御部
２０２  Ｉ／Ｆ
２１０  操作部
２２０  表示部
２３０  記憶部
【図１】
2007117330.tif 000003
【図２】
2007117330.tif 000004
【図３】
2007117330.tif 000005
【図４】
2007117330.tif 000006